(57)【要約】【課題】簡単な構造によりプールから建物への振動伝播を抑制できるようにすること。【解決手段】プール１０は、底面部１１と、この底面部１１の外周側から起立する側面部１２とを備えて貯水可能な内部空間を形成している。底面部１１の内面側及び側面部１２の内面側には、弾性を有する防振材１７が取り付けられている。防振材１７によりプールＰの利用時の振動を減衰することができ、支持部材１５やスラブＳ等に伝わる振動を抑制して階下や隣室に対する防振効果を得る。【選択図】図１
2007239386.tif 000002
【特許請求の範囲】
【請求項１】
底面部と当該底面部の外周側で起立する側面部とを備えて貯水可能な内部空間を形成するプールの防振構造において、
前記底面部内面側と側面部内面側とに、弾性を有する防振材を取り付けたことを特徴とするプールの防振構造。
【請求項２】
前記防振材は、底面部又は側面部に対する相対面を備え、この相対面と反対面側に保護板を取り付けたことを特徴とする請求項１記載のプールの防振構造。
【請求項３】
前記防振材の外周面は保護板により覆われていることを特徴とする請求項１記載のプールの防振構造。
【請求項４】
底面部と当該底面部の外周側で起立する側面部とを備えて貯水可能な内部空間を形成するプールの防振構造において、
前記プールを内部に収容可能な有底容器状のプール形成体を含み、このプール形成体とプールとの間に、弾性を有する防振材を介在させたことを特徴とするプールの防振構造。
【請求項５】
前記防振材は、連続気泡を有する発泡弾性体若しくは合成樹脂フォームからなることを特徴とする請求項１ないし４の何れかに記載のプールの防振構造。
【請求項６】
底面部と当該底面部の外周側で起立する側面部とを備えて貯水可能な内部空間を形成するプールの防振構造を施工する方法において、
前記底面部内面側と側面部内面側とに弾性を有する防振材を取り付ける前若しくは取り付けた後、防振材の底面部又は側面部に対する相対面と反対面側に保護板を取り付けることを特徴とするプールの防振構造の施工方法。
【発明の詳細な説明】
【技術分野】
【０００１】
本発明は、プールの防振構造及びその施工方法に係り、更に詳しくは、建物に設置したプールから当該建物に伝播する振動を低減することができるプールの防振構造及びその施工方法に関する。
【背景技術】
【０００２】
従来、建物にプールを設置するための種々の構造が知られている（例えば、特許文献１）。かかる構造では、プールでの水泳や飛び込み等によって建物に伝わる固体音を低減し、プール外部での騒音の発生を抑制することが要求される。この要求に対応すべく、建物のスラブとプールの底面部との間に防振ゴムを設けてプールを支持する防振構造や、スラブ上に敷設されたグラスウール等の上にプールの底面部を載置するいわゆる浮床構造が採られている。また、防振ゴム等を使用しない一般の構造においても、発泡スチレン等をプールの底面に敷設することで、ある程度防振効果は得られるが、プールの横方向のずれを抑制するため、スラブ上に配置されてプールの側面部に当接する支持部材が設置される。
【０００３】
【特許文献１】特開平７−６２９０７号公報
【発明の開示】
【発明が解決しようとする課題】
【０００４】
しかしながら、前者の防振構造にあっては、支持構造が複雑となったり、施工に要する労力が大きくなる傾向が強く、プール設置に要するコスト的な負担が増大するという不都合がある。また、前者の浮床構造にあっては、プールの周辺に配管スペースが必要となり、躯体構造が複雑となって施工上の手間が増大する。
更に、後者の一般の構造は、支持部材がサウンドブリッジとなってプール内での振動が当該プールの側面部から支持部材を介してスラブに伝播し、プール外部に対する十分な防振性能が得られなくなる、という不都合を招来する。
【０００５】
［発明の目的］
本発明は、このような不都合に着目して案出されたものであり、その目的は、簡単な構造により、プールの利用による建物への振動伝播を抑制することができるプールの防振構造及びその施工方法を提供することにある。
【課題を解決するための手段】
【０００６】
前記目的を達成するため、本発明は、底面部と当該底面部の外周側で起立する側面部とを備えて貯水可能な内部空間を形成するプールの防振構造において、
前記底面部内面側と側面部内面側とに、弾性を有する防振材を取り付ける、という構成が採用されている。
【０００７】
本発明において、前記防振材は、底面部又は側面部への相対面を備え、この相対面と反対面側に保護板を取り付ける、という構成を採ることができる。
ことが好ましい。
【０００８】
また、前記防振材の外周面は保護板により覆われる、という構成が好ましくは採用される。
【０００９】
また、本発明は、底面部と当該底面部の外周側で起立する側面部とを備えて貯水可能な内部空間を形成するプールの防振構造において、
前記プールを内部に収容可能な有底容器状のプール形成体を含み、このプール形成体とプールとの間に、弾性を有する防振材を介在させる、という構成を採ってもよい。
【００１０】
更に、防振材は、連続気泡を有する発泡弾性体若しくは合成樹脂フォームにより構成することが好ましい。
【００１１】
また、本発明は、底面部と当該底面部の外周側で起立する側面部とを備えて貯水可能な内部空間を形成するプールの防振構造を施工する方法において、
前記底面部内面側と側面部内面側とに弾性を有する防振材を取り付ける前若しくは取り付けた後、防振材の底面部又は側面部に対する相対面と反対面側に保護板を取り付ける、という方法が採用される。
【発明の効果】
【００１２】
本発明によれば、プールの内側に防振材を取り付ける簡単な構造により、プールの底面部側だけでなく側面部側においても防振効果を得られるようになり、前述のような支持部材を用いてもサウンドブリッジとなることを回避することができる。これにより、構造の簡略化や施工労力の軽減化を達成しつつ、水泳等のプール利用時に、プール外部に騒音が発生することを抑制することが可能となる。
【００１３】
また、保護板を設けたり、プール形成体を用いたりすることにより、防振材を保護することができる他、防振材の形状の安定化を図ることが可能となる。
【発明を実施するための最良の形態】
【００１４】
以下、本発明の好ましい実施の形態について図面を参照しながら説明する。
【００１５】
［第１実施形態］
図１には、第１実施形態に係るプールを建物に設置した構造を模式化した概略断面図が示されている。この図において、プール１０は、スラブＳ上に設置されており、このスラブＳは、略水平方向に向けられて所定のビルやスポーツ施設等の建物を構成している。プール１０は、底面部１１と、この底面部１１の外周側から起立する側面部１２とを備えて貯水可能な内部空間を形成している。
【００１６】
前記スラブＳの上面には、砂１４が敷設されており、この砂１４の上にプール１０の底面１１が載置されている。また、スラブＳ上には、前記側面部１２の外周面に添設する支持部材１５が設けられ、この支持部材１５によってプール１０の横方向のずれが抑制されるようになっている。なお、スラブＳ上において、支持部材１５の外側には、コンクリート等からなる躯体部Ｃが立設されている。
【００１７】
前記底面部１１の内面側及び側面部１２の内面側には、弾性を有する防振材１７が略全域に亘って取り付けられている。この防振材１７は、所定の厚みを有するボード状若しくはシート状に形成され、その材質として、発泡弾性体や合成樹脂フォームの他、ポリスチレンフォーム、ウレタンフォーム、ポリエチレンフォーム、フェノールフォーム等の発泡プラスチック保温材（ＪＩＳ  Ａ  ９５１１）、或いは、半硬質、独立気泡のシート状発泡体からなるポリオレフィンフォーム（含むポリエチレンフォーム）が例示できる。発泡弾性体や合成樹脂フォームとした場合、独立気泡及び連続気泡の何れでもよいが、好ましくは連続気泡が採用される。これは、連続気泡の方が、変形時に内部の水が流通する粘性抵抗により減衰する振動エネルギーが大きくなることが期待できるからである。
【００１８】
従って、このような第１実施形態によれば、プールＰの利用によって生じる水の振動を防振材１７によって減衰することができる。従って、プールＰだけでなく支持部材１５にも振動が伝播し難くなり、ひいては、スラブＳ等に伝わる振動も抑制して階下や隣室に対する防振性能を向上させることができる。また、既存のプールＰに対して防振材１７をいわゆる後付けすることが可能となり、安価で簡単な施工により防振性を高めることが可能となる。
【００１９】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００２０】
［第２実施形態］
図２には、本発明の第２実施形態が示されている。この第２実施形態は、防振材１７にＦＲＰ等からなる保護板２０を設けたものである。すなわち、防振材１７は、底面部１１又は側面部１２に対する相対面１７Ａを備え、この相対面１７Ａと反対面（反相対面１７Ｂ）側に保護板２０が接着等を介して取り付けられている。保護板２０の取り付けは、底面部１１や側面部１２に防振材１７を取り付ける前であってもよいし、取り付ける後でもよい。すなわち、防振材１７と保護板２０とを一体として底面部１１等に取り付けたり、底面部１７等に既設された防振材１７に保護板２０を後付けしたりしてもよい。
【００２１】
従って、このような第２実施形態では、保護板２０により防振材１７の形状安定性を高めてプール１０の使い勝手を向上させることが可能となる。また、プール１０において実質的に利用される内周面が保護板２０で形成されることとなり、防振材１７の損傷等を回避しつつ清掃の容易化を図ることができる。
【００２２】
［第３実施形態］
図３には、本発明の第３実施形態が示されている。この第３実施形態では、防振材１７の外周面に、ＦＲＰ等からなる保護板２２を覆うように設けている。すなわち、保護板２２は、防振材１７の前記相対面１７Ａ側に位置する裏面部２２Ａと、反相対面１７Ｂ側に位置する表面部２２Ｂとを備えている。裏面部２２Ａ及び表面部２２Ｂの間には、シール材等からなる振動絶縁部２３が設けられ、この振動絶縁部２３により、裏面部２２Ａ及び表面部２２Ｂが非接触に保たれる。また、振動絶縁部２３は、保護板２２が相対する底面部１１及び側面部１２と振動が絶縁される位置に配設される。これにより、振動するプール１０内の水に直接接触する表面部２２Ｂの振動が裏面部２２Ａへ伝播することが絶縁され、建物への良好な防振効果が得られるようになる。なお、防振材１７及び保護板２２のみでプール１０を形成可能な構造、施工であれば、外側の底面部１１及び側面部１２を除いたプール防振構造としてもよい。
【００２３】
従って、このような第３実施形態によれば、保護板２２によって、防振材１７をより良く保護することができる他、防振材１７の形状安定性をより一層向上させることが可能となる。
【００２４】
［第４実施形態］
図４には、本発明の第４実施形態が示されている。この第４実施形態は、前述のプール１０と同様の構造をなすプール形成体２５を用いてプールを設置したものである。
具体的には、有底容器状のプール形成体２５をスラブ上に設置した後、このプール形成体２５の底部及び側部の各内面側に防振材１７をそれぞれ取り付け、当該防振材１７で囲まれた空間内にプール１０を設置している。これにより、防振材１７がプール形成体２５の内面とプール１０の外面との間に挟まれて介在することとなり、防振材１７による防振効果を得つつ当該防振材１７を保護することが可能となる。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、防振材１７は、底面部１１及び各側面部１２にそれぞれ一枚ずつとしたり、それらの面方向に沿う所定間隔毎に分割して複数枚を組み合わせる構造としてもよい。
また、防振材１７は、底面部１１及び各側面部１２の略全領域に取り付けることが好ましいが、支持部材１５がサウンドブリッジとならず、建物への振動伝播が抑制できる限りにおいて、防振材１７を部分的に省略して、建物への接触面を少なくした構造としてもよい。
更に、第３実施形態の振動絶縁部２３は、種々の設計変更が可能であり、例えば、裏面部２２Ａ及び表面部２２Ｂの間や、保護板２２とこれに相対する底面部１１及び側面部１２或いは隣り合う保護板２２との間が非接触となるように隙間を形成する構造としてもよい。
【図面の簡単な説明】
【００２７】
【図１】第１実施形態に係るプールを建物に設置した構造を模式化した概略断面図。
【図２】第２実施形態に係る構造の図１と同様の断面図。
【図３】第３実施形態に係る構造の図１と同様の断面図。
【図４】第４実施形態に係る構造の図１と同様の断面図。
【符号の説明】
【００２８】
１０・・・プール、１１・・・底面部、１２・・・側面部、１７・・・防振材、２０，２２・・・保護板、２５・・・プール形成体
【図１】
2007239386.tif 000003
【図２】
2007239386.tif 000004
【図３】
2007239386.tif 000005
【図４】
2007239386.tif 000006